(57)【要約】      （修正有）【課題】重量物を室内の壁面に係止できる磁性複合シートを提供する。【解決手段】接着剤層２の一面にマグネットシート層１を形成し、他面に発泡体層３を形成する。磁性材と吸着し得る金属箔層の一面にマグネットシート層を形成し、他面に発泡体層を形成してもよい。またマグネットシート層の上に滑り止めシート層を積層してもよい。発泡体層の上に接着剤を介して吊下具又は物品収納容器６を取り付ける。【選択図】図５
0003200872.tif 000002
【実用新案登録請求の範囲】
【請求項１】
接着剤層の一面にマグネットシート層を形成し、他面に発泡体層を形成したことを特徴とする磁性複合シート。
【請求項２】
前記マグネットシート層の上に滑り止めシート層を積層したことを特徴とする請求項１記載の磁性複合シート。
【請求項３】
磁性材と吸着し得る金属箔層の一面に前記マグネットシート層を形成し、他面に前記発泡体層を形成したことを特徴とする磁性複合シート。
【請求項４】
前記マグネットシート層の上に前記滑り止めシート層を積層したことを特徴とする請求項３記載の磁性複合シート。
【請求項５】
前記発泡体層の上に接着剤を介して吊下具又は物品収納容器を取り付けたことを特徴とする請求項１乃至４のいずれかに記載の磁性複合シート。
【考案の詳細な説明】
【技術分野】
【０００１】
本考案は、室内の壁面や家具、調度品、冷蔵庫の外側面等で見受けられる所謂垂直面を有効に活用する際に用いられる磁性複合シートに関する。
【背景技術】
【０００２】
先ず壁面が非磁性体で構成されている場合のその活用状況を見ると、例えば、額縁に入れた絵画や掛け時計をネジ付L型フック等を利用して壁面に取り付けている。また、写真、カレンダー、ポスター等の比較的薄くて軽い物は、鋲、両面テープ等で壁面や天井に直接貼付しているのが現状である。
【０００３】
このように壁面が非磁性体から構成されている場合は、前述のとおりフックや鋲を用いるので、その壁面に取り付け穴が形成される。そして、後日壁面の模様替えを行う為、その絵画を取り外し、その空間に何も貼付等することなく、その空間自体を美的空間として有効に活用しようとした場合、フックや鋲の取り付け穴が傷として目立ち、美感上好ましくない。更に壁面等に取り付けられる物に目を向ければ、重くても高々絵画や掛け時計程度が限度で、一般的には写真やポスターやカレンダーといった軽量物が貼付されているだけである。
【０００４】
斯かる問題点、特に壁面等の垂直面を有効に活用する手法として、磁性シートと繰り返し接着可能な再剥離可能な接着剤等を用いた軟質性磁性シートが提案されている（特許文献１）。
【０００５】
次に壁面が磁性材で構成されている場合の活用状況を見てみよう。従来の磁着性係止具としては、例えば、合成樹脂製匡体の下部にフックが垂設されると共に、同匡体の裏面に永久磁石が固定された所謂マグネットフックが広く知られている。そして、斯かるマグネットフックは、所要の強磁性体壁面に永久磁石を介して磁着させつつ、フックに所要の物品を吊下げ状に係止している。
【０００６】
しかし、上述の如く構成されたものは、単に永久磁石を強磁性体壁面に磁着させているに過ぎないから、物品の吊下げ荷重に起因する曲げモーメントに対して反力が非常に小さく、係止保持力が弱いものであって、この場合も、比較的軽量な物品の吊下げにのみしか使用することが出来ないのが現状である。
これらの問題点を解決するものとして、実開昭５０−１３３３２７号公報や実開昭５４−１７６４２４号公報には、所要の本体裏面に永久磁石とゴム板などの弾性板とが順次固定されると共に、同本体の表面側に鉤部が突設された係止具が開示されている。
【０００７】
そして、上述の如く構成された係止具は、永久磁石により強磁性体壁面に磁着させて使用するものであって、鉤部に所要の物品を吊下げ状に係止した場合には、永久磁石の磁着面を支点とする曲げモーメントが弾性板に加わり、強磁性体壁面に強く押圧しつつ摩擦抵抗を生起させるものである。このため、かかる摩擦抵抗により垂直方向への下降力に対する反力が生起し、永久磁石の磁着力とも相俟って比較的重量の軽い物品であれば吊下げ状に係止保持できると考えられる。
【先行技術文献】
【特許文献】
【０００８】
【特許文献１】特開平１０−２１９００３号公報
【特許文献２】実開昭５０−１３３３２７号公報
【特許文献３】実開昭５４−１７６４２４号公報
【考案の概要】
【考案が解決しようとする課題】
【０００９】
ところで、上述の如く構成された従来例は、物品の吊下げ荷重に起因する曲げモーメントを弾性板に加えて摩擦抵抗を生起させ、これを下降力に対する反力として利用するに過ぎないものであるから、必ずしも満足すべき反力を生起させることができない。このため、
重量の大きな物品の係止には適用できなかった。
【課題を解決するための手段】
【００１０】
本考案は、斯かる課題の下、壁面等の垂直面が磁性体であれ、非磁性体であれ、その活用が図られるだけでなく、更に磁性複合シートに貼り付け若しくは取り付けられる物品等が重量物であっても、その目的を達成し得る手段について鋭意研究を重ねた結果、本考案を完成するに至った。
【００１１】
磁石が有する特徴の一つである着脱自在性と発泡体、マグネットシート、滑り止めシート、磁性材と吸着し得る金属箔等とを適宜有機的に組み合わせることによって、前記の課題を一挙に解決したものである。
【００１２】
本考案の請求項１記載の考案は、接着剤層の一面にマグネットシート層を、その他面に発泡体層を夫々形成した磁性複合シートで、本考案の基本をなす態様の一つである。
【００１３】
本考案の請求項２記載の考案は、本考案の請求項１記載の考案を構成するマグネットシート層の上に滑り止めシート層を積層した磁性複合シートである。
【００１４】
本考案の請求項３記載の考案は、磁性材と吸着し得る金属箔層の一面にマグネットシート層を、その他面に発泡体層を夫々積層した磁性複合シートで、本考案のもう一つの基本をなす他の態様である。
【００１５】
本考案の請求項４記載の考案は、本考案の請求項３記載の考案を構成するマグネットシート層の上に滑り止めシート層を積層した磁性複合シートである。
【００１６】
本考案の請求項５記載の考案は、本考案に係る磁性複合シートに重量物を吊り下げ又は
載置する吊下具若しくは物品収納容器を取り付けた磁性複合シートである。
【考案の効果】
【００１７】
本考案によれば、磁性複合シートが取り付けられる被着体が磁性体で構成されている場合は勿論、非磁性体であっても、被着体に軽い物は当然、重量物であっても、吊り下げ若しくは載置できる。更に特筆すべきことは、被着体の表面が凹凸のない鏡面状態であれば、磁性複合シートの滑り止めシート層との組み合わせで、被着体が透明ガラス（フロートガラス）、鏡、木材（タンス、仏壇等）樹脂製等その材質に拘束されることなく必要な物品を極めて安定的に吊り下げ又は載置できる。
【図面の簡単な説明】
【００１８】
【図１】本考案に係る磁性複合シートの一態様である発泡体層、接着剤層及びマグネットシート層からなるものを模式的に表した断面図である。
【図２】本考案に係る磁性複合シートの一態様である滑り止めシート層、マグネットシート層、接着剤層及び発泡体層からなるものを模式的に表した断面図である。
【図３】本考案に係る磁性複合シートの一態様であるマグネットシート層、磁性材と吸着し得る金属箔層及び発泡体層からなるものを模式的に表した断面図である。
【図４】本考案に係る磁性複合シートの一態様である滑り止めシート層、マグネットシート層、磁性材と吸着し得る金属箔層及び発泡体層からなるものを模式的に表した断面図である。
【図５】本考案に係る磁性複合シートの一つに物品収納容器を取り付け、当該枡状の容器に書籍を収納した状態を表す模式的な断面図である。
【考案を実施するための形態】
【００１９】
本考案を構成するマグネットシート層を構成するマグネットシートは、通常用いられるものでよい。例えば、磁性粉末等の磁性材料の粉粒体をバインダーで結着し、均一に分散させてシート状に形成したものであり、しかも少なくとも一つの着磁面を有するもので、その着磁は、１．５ｍｍ〜５ｍｍのピッチで多極着磁されたものを用いる。この磁性材料については、特に限定されず、硬質磁性材料であっても、軟質磁性材料であっても良いが、好ましくは硬質磁性材料としては、例えば、Srフェライト、Baフェライト等のフェライト系のものや、Sm―Co系、Nd−Fe−B系、Sm−Fe−N系等の希土類のものや、Fe−Cr−Co系、アルニコ系のものなどが用いられる。また、等方性、異方性のいずれであってもよい。磁性材料の粉粒体は、シラン系、チタネート系、ジルコニウム系等のカップリング剤や金属石鹸、界面活性剤等で予め表面処理しておくのが前記粉粒体の分散性や配向性が改善され、磁気特性が向上するので好ましい。バインダーについても特に限定されないが、例えば、天然ゴム、合成ゴム熱可塑性エラストマー、熱可塑性樹脂等が用いられる。マグネットシートの厚さは特に限定されないが、通常0.1mm〜5mmが好ましい。マグネットシートを得るには、前記磁性材料の粉粒体とバインダーを所定の割合で配合し、適宜可塑剤、安定剤、滑剤、充填剤などの添加剤を加え、混練した後、カレンダー成形、押出成形、プレス成形などで所望のシート状に成形する。
【００２０】
接着剤層を形成する接着剤は、通常用いられる接着剤、例えば、澱粉質、脆質、ガゼインの如き天然物、又はニトリルゴム、クロロプレンゴムの如き合成ゴム状物、又は酢酸ビニール或いは酢酸ビニール―塩化ビニール共重合樹脂、ブチラール樹脂の如き合成樹脂を主材とするものであれば何れであってもよい。
【００２１】
発泡体層を形成する発泡体の形成材料としては、任意の適切な材料を採用すればよく、オレフィン系樹脂及びエラストマーを主成分とする樹脂組成物に、発泡処理を施すことによって得られる発泡体として、例えば、ポリエチレン系樹脂、ポリプロピレン系樹脂等から得られる熱可塑性樹脂発泡体や、合成ゴム又は天然ゴムからなるゴム発泡体等が挙げられる。そして、この発泡体層の厚みは、0.1mm〜5mm程度が好ましい
【００２２】
前記発泡体は、殆どの隣接する球状気泡間に貫通孔を有する連続気泡構造であっても良いし、半独立半連続気泡であっても良い。このような発泡体を用いることにより、滑り止め機能を発揮する。この発泡体が押されることにより、球状気泡および貫通孔が圧縮されて発泡体表面から空気が外部に抜け、これにより生じる外部との大気圧差に起因して、吸着性が発揮されると推測される。
【００２３】
滑り止めシート層を構成する滑り止めシートは、例えば、多孔質ポリウレタン樹脂からなる防滑層が湿式凝固法で形成され、かつ多孔質ポリウレタン樹脂にタッキファイヤー（粘着付与剤）が含まれているものが考えられる。また、織布、編布又は不織布、フェルト等からなる基材の片面に、加熱で膨張する発泡体を添加した熱硬化性樹脂組成物（主成分がクロロスルフォン化ポリエチレン又はクロロスルフォン化ポリエチレンにNR、SBR等を配合したもの）からなる含泡弾性被覆層を積層したシートであってもよい。
【００２４】
磁性材と吸着し得る金属箔層を形成する金属箔としては、カッターで切断しにくいことや曲面対応を考慮すれば、熱間圧延金属コイルを酸洗して再圧延した金属箔、例えば、４００系ステンレス箔、鉄箔を使用すればよい。鉄箔としては、硬材質で被覆処理されたもの、亜鉛、ニッケル、クロムメッキ処理したものが考えられる。金属箔と発泡体やマグネットシートの接着に用いる接着剤としては、水系接着剤によるウエットラミネート法、及び溶剤タイプ接着剤を用いるドライラミネート法等がある。この金属箔を用いることによって、被着体との吸着力が一層増加し、安定的に物品を吊り下げ又は載置することができる。
【００２５】
次に、磁石による固定力は、固定表面に対し垂直方向に働く引張抵抗力は強力であるが、固定面に対し平行方向に働く引張抵抗力は弱い。そして、例えば、吊下具は、たいていの場合、地面に対して垂直な面に固定して使用するので、吊下具に物品を吊り下げると、その物品の重力により、固定面に対し平行方向に引っ張られ、吊下具ごとずり落ちる現象がしばしば見受けられる。
【００２６】
ところが磁性複合シートを構成する滑り止めシート層が被着体に密着（図２及び図４参照）しているから吊下具又は物品収納容器ごとずり落ちることは考え難い。
【００２７】
吊下具又は物品収納容器が接着剤を介して取り付けられる発泡体は、表面に微細孔を有する平坦な連続樹脂面が形成され、微細孔はその径より大きい径を有する内部の気泡に連続し、内部の気泡は、他の気泡と細径管にて連続した構造から成り立っている。このような構造を有するので、発泡性プラスチックシートは、平滑面に密着固定させることができ、また、平行方向に働く引張抵抗力が大きいという特徴がある。そのうえ、吊下具又は物品収納容器を発泡性プラスチックシートに取り付ける際に、固定面（例えば、壁面）に対して垂直方向に押されることにより密着力がさらに強力になるという特徴がある。したがって、吊下具又は物品収納容器ごとずり落ちることは一層考えにくい。なお、吊下具又は物品収納容器の材質は、特に限定はなく吊り下げる物品又は収納する物品如何によって適宜決めればよい。木製や鋼鈑製や樹脂製等が身近なものとして考えられる。
【００２８】
被着体（例えば、壁面）が磁性材（例えば、塗装された鋼鈑）であれば、鉄箔とマグネットシートが相俟って、発泡体に接着剤を介して取り付けたフックに、同じく発泡体に接着剤を介して取り付けた物品収納容器（例えば、枡状の容器）に夫々重量物を吊り下げ又は載置することができる。
【００２９】
次に磁性複合シートの使用例について、図面と照らし合わせながら説明する。図１の１は、マグネットシート層であり、同図の２は、接着剤層であり、同図の３は、発泡体層である。被着体（例えば、壁面）が鋼鈑のような磁性体であれ、コンクリート、石膏ボード、木材、ガラス等の非磁性体であっても、この磁性複合シートを壁面８に貼付できる。即ち、１のマグネットシートを着磁（着磁は、片面であっても、両面であってもよい）しておけば、壁面８が磁性体であれば図１、図２、図３及び図４に示すとおり、壁面８に磁性複合シートは取り付けられ、発泡体層３の表面には接着剤を介して枡状の物品収納容器６が取り付けられる。物品収納容器６の中には、書籍７（例えば、文庫本、新書版）が収納される。一方、壁面８が上記の非磁性体であれば、図２及び図４に示すとおり、滑り止めシート層により、この壁面８に磁性複合シートを貼付すればよい。
【００３０】
図２の磁性複合シートは、図１の当該シートを構成するマグネットシート層の上に前述の滑り止めシート層４を積層したものである。この滑り止めシート層４により、より一層物品収納容器７がずり落ちにくくなるばかりでなく、上述のとおり被着体が凹凸のない鏡面状態であれば、その材質を問うことなく吊下具又は物品収納容器を取り付けることができる。
【００３１】
図３は、図１の接着剤層２に替えて磁性材と吸着し得る金属箔層（例えば、鉄箔）５をマグネットシート層１と発泡体層３との間に介在させた磁性複合シートである。壁面８が磁性体の場合はその効果は顕著である。
【００３２】
図４の磁性複合シートは、図３の磁性複合シートを構成するマグネットシート層１の上に滑り止めシート層４を積層したものである。この滑り止めシート層４により物品収納容器７の下方へのずり落ちようとする力を緩和することができる。壁面８は磁性体であっても磁性体であってもよいことは言うまでもない。
【符号の説明】
【００３３】
１  マグネットシート層
２  接着剤層
３  発泡体層
４  滑り止めシート層
５  磁性材と吸着し得る金属箔層
６  物品収納容器
７  書籍（例えば、新書版、文庫本）
８  壁面
【図１】
0003200872.tif 000003
【図２】
0003200872.tif 000004
【図３】
0003200872.tif 000005
【図４】
0003200872.tif 000006
【図５】
0003200872.tif 000007
【手続補正書】
【提出日】平成27年8月24日(2015.8.24)
【手続補正１】
【補正対象書類名】実用新案登録請求の範囲
【補正対象項目名】請求項３
【補正方法】変更
【補正の内容】
【請求項３】
磁性材と吸着し得る金属箔層の一面にマグネットシート層を形成し、他面に発泡
体層を形成したことを特徴とする磁性複合シート。
【手続補正２】
【補正対象書類名】実用新案登録請求の範囲
【補正対象項目名】請求項４
【補正方法】変更
【補正の内容】
【請求項４】
磁性材と吸着し得る金属箔層の一面にマグネットシート層を形成し、他面に発泡
体層を形成した磁性複合シートにおいて前記マグネットシート層の上に滑り止めシート層
を積層したことを特徴とする磁性複合シート。
【手続補正３】
【補正対象書類名】実用新案登録請求の範囲
【補正対象項目名】請求項５
【補正方法】変更
【補正の内容】
【請求項５】
接着剤層の一面にマグネットシート層を形成し、他面に発泡体層を形成した磁性複合シートにおいて、前記発泡体層の上に接着剤を介して吊下具又は物品収納容器を取り付けたことを特徴とする磁性複合シート。